(57)【特許請求の範囲】
【請求項１】
内部に室外と室内とを連通させる換気孔が形成された装置本体と、この装置本体に第１及び第２係合機構を介して着脱可能に設けられ、装着時には上記装置本体の室内に臨む内面を覆う化粧板とを備え、上記化粧板が上方へ向かって所定の上位置まで移動させられた後、下方へ向かって所定の装着位置まで移動させられると、上記第１及び第２係合機構がいずれも解除状態から係合状態になり、それによって上記化粧板が上記装置本体に着脱可能に取り付けられる換気装置において、
上記第１係合機構は、上記化粧板の上端部に２つの起立壁により形成され、上方に向かって開放された第１係合凹部と、上記装置本体に形成され、上記第１係合凹部に上下方向に挿脱可能に係合する第１係合部とにより構成され、
上記第１係合凹部の上記２つの起立壁のうちの室内側起立壁に、その上端から上方へ突出し、かつ弾性変形可能な遮蔽部が設けられ、上記室内側起立壁の上端からの上記遮蔽部の突出長さが、上記室内側起立壁の上端と上記装置本体の上記内面の上端との間の距離と同等以上の長さに設定され、
上記第１及び第２係合機構が係合状態のとき、上記遮蔽部及び上記化粧板が上記装置本体の上記内面を覆うことを特徴とする換気装置。
【請求項２】
上記第２係合機構は、上記化粧板の背面の上下方向における中間部に形成され、下方に向かって開放された第２係合凹部と、上記装置本体に形成され、上記第２係合凹部に上下方向に挿脱可能に係合する第２係合部とにより構成され、
上記第２係合凹部の上底面から上記化粧板の下端までの長さが、上記第２係合部の上端から上記装置本体の上記内面の下端までの長さと同等以上に設定されていることを特徴とする請求項１に記載の換気装置。
【請求項３】
上記遮蔽部が上記化粧板の上端面に一体に形成されていることを特徴とする請求項１又は２に記載の換気装置。
【請求項４】
上記化粧板の室外側を向く面には、上記換気孔を通る空気中に含まれる塵埃を除去するためのフィルタが着脱可能に取り付けられていることを特徴とする請求項１〜３のいずれかに記載の換気装置。
【発明の詳細な説明】
【技術分野】
【０００１】
この発明は、室内の美感を重要視するような窓や戸等に設置するのに好適な換気装置に関する。
【背景技術】
【０００２】
一般に、換気装置は、下記特許文献１に記載されているように、装置本体を有している。装置本体の内部には、室外と室内とを連通させる換気孔が形成されとともに、開閉部材が閉位置と開位置との間を回動可能に設けられている。開閉部材を操作部材によって開位置に回動させると、換気孔が開かれる。この結果、室外と室内との間において換気が行われる。操作部材によって開閉部材を閉位置に回動させると、換気孔が開閉部材によって閉じられ、換気が停止される。
【０００３】
ところで、室内の美感を重要視するような箇所に設置される換気装置においては、装置本体に化粧板が着脱可能に設けられている。化粧板は、装置本体への装着時には、装置本体の室内に臨む内面を覆う。これにより、装置本体が室内から目視されないようにし、換気装置の美感を向上させている。
【０００４】
化粧板は、第１及び第２係合機構によって装置本体に着脱可能に取り付けられている。第１及び第２係合機構は、化粧板を装置本体に対し上方へ向かって所定の上位置まで移動させた後、下方へ向かって所定の装着位置まで移動させると、いずれも解除状態から係合状態になる。これにより、化粧板が装置本体に着脱可能に取り付けられている。
【先行技術文献】
【特許文献】
【０００５】
【特許文献１】特開２００４−１７００４０号公報
【発明の概要】
【発明が解決しようとする課題】
【０００６】
上記のようにして化粧板が取り付けられた換気装置においては、化粧板の装置本体への装着時に、化粧板が上位置から装着位置まで下げられる。このため、化粧板の上端縁が装置本体の上端縁に対し少なくとも上位置と装着位置との間の距離の分だけ下側に位置することになり、化粧板より上側に位置する装置本体の上端部が室内に露出してしまう。この結果、室内の美感を低下させるという問題があった。
【０００７】
なお、仮に化粧板が装着位置に位置したときに化粧板の上端縁が装置本体の上端縁と一致するか、若干上側に位置するように化粧板を形成すれば、装置本体の上端部が室内に露出するという問題を回避することができる。しかしながら、換気装置は、例えばアルミサッシ戸の上端部に取り付けられており、装置本体の上側には、サッシ戸の上框が存在している。このため、化粧板が装着位置に位置したときに化粧板の上端縁が装置本体の上端縁と一致するか、若干上側に位置するように化粧板を形成すると、化粧板を上方へ移動させたときに、化粧板が上位置に達する前に上框に突き当たってしまい。化粧板を装置本体に取り付けることができない。よって、化粧板を上記のように形成することは、現実的に採用することができない。
【課題を解決するための手段】
【０００８】
この発明は、上記の問題を解決するためになされたもので、内部に室外と室内とを連通させる換気孔が形成された装置本体と、この装置本体に第１及び第２係合機構を介して着脱可能に設けられ、装着時には上記装置本体の室内に臨む内面を覆う化粧板とを備え、上記化粧板が上方へ向かって所定の上位置まで移動させられた後、下方へ向かって所定の装着位置まで移動させられると、上記第１及び第２係合機構がいずれも解除状態から係合状態になり、それによって上記化粧板が上記装置本体に着脱可能に取り付けられる換気装置において、上記化粧板に、その上端から上方へ突出し、かつ弾性変形可能な遮蔽部が設けられ、上記化粧板の上端からの上記遮蔽部の突出長さが、上記化粧板の上端と上記装置本体の上記内面の上端との間の距離と同等以上の長さに設定されていることを特徴としている。
この場合、上記遮蔽部が上記化粧板の上端面に一体に形成されていることが望ましい。
また、上記化粧板の室外側を向く面には、上記換気孔を通る空気中に含まれる塵埃を除去するためのフィルタが着脱可能に取り付けられていることが望ましい。
【発明の効果】
【０００９】
上記特徴構成を有するこの発明によれば、化粧板を上位置まで上方へ移動させた後、装着位置まで下方へ移動させることにより、化粧板を装置本体に取り付けることができる。ここで、化粧板を上位置から装着位置まで下方へ移動させると、化粧板の上端が装置本体の内面の上端より少なくとも上位置と装着位置との間の距離の分だけ下方に位置する結果、装置本体の内面の上端部が室内に露出する。しかし、当該上端部は、化粧板の上端部に設けられた遮蔽部によって覆われる。したがって、装置本体の前面の上端部が室内から目視されるような事態を確実に防止することができる。
また、装置本体の上に上框等が存在する場合には、化粧板を上位置まで移動させるときに遮蔽部が上框等に突き当たるが、遮蔽部が弾性を有しているので、遮蔽部が弾性変形することにより、化粧板を上位置まで移動させることができる。遮蔽部は、化粧板を上位置から装着位置まで下方へ移動させると、弾性的に復帰変形し、化粧板より上側に位置する内面の上端部を覆う。
【図面の簡単な説明】
【００１０】
【図１】図１は、この発明に係る換気装置の一実施の形態をアルミサッシ戸に取り付けた状態で示す、室内側から見た正面図である。
【図２】図２は、図１のＸ−Ｘ線に沿う断面図である。
【図３】図３は、同実施の形態の要部を示す拡大断面図である。
【図４】図４は、装置本体を上位置に位置させた状態で示す図３と同様の断面図である。
【図５】図５は、図１のＹ−Ｙ線に沿う拡大断面図である。
【図６】図６は、この発明の第２実施の形態を示す図３と同様の断面図である。
【図７】図７は、この発明の第３実施の形態を示す図３と同様の断面図である。
【図８】図８は、この発明の第４実施の形態を示す図３と同様の断面図である。
【発明を実施するための形態】
【００１１】
以下、この発明を実施するための最良の形態を、図面を参照して説明する。
図１〜図５は、この発明の第１実施の形態を示す。この実施の形態は、図１に示すように、この発明に係る換気装置１をアルミサッシ戸Ａに取り付けたものである。そこで、まずアルミサッシ戸Ａについて簡単に説明すると、アルミサッシ戸Ａは、左右両側の縦框Ａ１，Ａ２、この縦框Ａ１，Ａ２の上端部間に設けられた上框Ａ３と、縦框Ａ１，Ａ２の下端部間に設けられた下框（図示せず）とを有している。縦框Ａ１，Ａ２の上端部及び上框Ａ３の間にこの発明に係る換気装置１が設けられている。なお、換気装置１、これより下側の縦框Ａ１，Ａ２及び下框間によって区画される空間には、板ガラスＡ４が設けられている。
【００１２】
次に、この発明に係る換気装置１について説明する。換気装置１は、装置本体２、開閉部材３、操作部材４及び化粧板５を主な構成要素としている。
【００１３】
装置本体２は、アルミニウム製の複数の型材を組み合わせてなるものであり、断面略長方形の角筒状に形成されている。そして、装置本体２は、その長手方向を左右方向に向けて配置されている。装置本体２の左右の両端部は、アルミサッシ戸Ａの左右の縦框Ａ１，Ａ２に取り付けられている。装置本体２の上端部は、上框Ａ３に取り付けられている。これにより、装置本体２ひいては換気装置１がアルミサッシ戸Ａに取り付けられている。装置本体２は、室内Ｉに臨む内面２１が上框Ａ３の室内に臨む面Ａ５に対し所定の距離だけ室外Ｏ側に離間するように配置されている。換言すれば、上框Ａ３が装置本体２に対し室内Ｉ側に向かって所定の距離だけ突出しているのである。
【００１４】
内面２１を有する装置本体２の室内側壁部２ａは、鉛直な板状をなしており、そこには左右方向に延びる略長方形の取付孔２２が形成されている。この取付孔２２の左右方向の長さは、室内側壁部２ａの左右方向の長さより短くなっている。したがって、取付孔２２の左右の両端部は閉じられている。取付孔２２は、室内側壁部２ａの左右方向に横断するように形成してもよい。その場合、取付孔２２は、孔というよりも切欠きの様相を呈する。室内側壁部２ａに取付孔２２が形成されることにより、室内側壁部２ａのうちの、取付孔２２の上端部に臨む部分が、下方に突出する第１係合部８１になっており、取付孔２２の下端部に臨む部分が上方に突出する第２係合部８２になっている。第１係合部８１及び第２係合部８２については後述する。
【００１５】
装置本体２には、通気孔２３が形成されている。この通気孔２３は、装置本体２の図１における左側の略半分に配置されている。通気孔２３の外側の端部は、装置本体２の室外側壁部２ｂの外面２４に開口している。通気孔２３の内側の端部は、装置本体２の中間壁部２ｃを貫通してその室内Ｉ側を向く面に開口している。中間壁部２ｃにおける通気孔２３の開口部は、取付孔２２と室内外方向に対向しており、通気孔２３は取付孔２２を介して室内Ｉに連通している。したがって、通気孔２３及び取付孔２２により、室外Ｏと室内Ｉとを連通させる換気孔が形成されている。換言すれば、通気孔２３及び取付孔２２は、換気孔の一部を構成している。室外Ｏの空気は、図２において矢印で示すように通気孔２３の室外Ｏ側の開口部から装置本体２の内部に入り込み、中間壁部２ｃの開口部を通過した後、取付孔２２を通って室内Ｉに流入する。室内Ｉの空気は、矢印と逆向きに流れて室外Ｏに流出する。
【００１６】
装置本体２の内部には、開閉部材３が設けられている。開閉部材３は、板状をなしており、その長手方向を左右方向に向け、かつ幅方向を上下方向に向けて配置されている。しかも、開閉部材３は、通気孔２３のうちの中間壁部２ｃに形成された部分と対向するように配置されている。開閉部材３の上端部は、装置本体２に左右方向に延びる軸線を中心として回転可能に支持されている。開閉部材３の回転範囲は、図２において実線で示す閉位置と想像線で示す開位置との間である。開閉部材３が閉位置に位置すると、通気孔２３が開閉部材３によって閉じられ、通気孔２３内の空気の流通が遮断される。開閉部材３が開位置に位置すると、通気孔２３が開かれ、室内外の空気が換気孔２３及び取付孔２２を通って流通する。
【００１７】
図１及び図５に示すように、中間壁部２ｃの図１における右端部には、中間壁部２ｃを貫通する操作窓孔２５が設けられている。操作窓孔２５は、略長方形の長孔として形成されており、その長手方向を左右方向に向けて配置されている。しかも、操作窓孔２５は、取付孔２２と室内外方向に対向しており、取付孔２２を介して室内Ｉに露出させられている。
【００１８】
装置本体２の内部には、操作部材４が左右方向へ移動可能に設けられている。操作部材４は、その一部を操作窓孔２５から室内Ｉ側に突出させている。したがって、取付孔２２から装置本体２内に指を挿入して、操作部材４を指で操作して左右方向へ移動させることができる。操作部材４の左右方向への移動範囲は、図１に示す閉位置と、この閉位置から所定距離だけ右方へ離間した開位置との間である。操作部材４を閉位置から開位置まで移動させると、操作部材４と開閉部材３との間に設けられた連動機構（図示せず）により、開閉部材３が閉位置から開位置まで回動させられる。逆に、操作部材４を開位置から閉位置まで移動させると、開閉部材３が連動機構によって開位置から閉位置まで回動させられる。なお、連動機構は、上記特許文献１にもその一例が記載されているように各種のものが周知であり、この実施の形態でも周知の連動機構が採用されている。しかも、連動機構は、この発明との関連性が低い。そこで、連動機構についての詳細な説明は省略する。
【００１９】
装置本体２には、内面２１を覆うための化粧板５が着脱可能に取り付けられている。化粧板５は、長方形状をなしており、その長手方向を左右方向に向けて配置されている。化粧板５の左右方向の長さは、装置本体２の内面２１の左右方向の長さとほぼ同一であり、化粧板５の左右方向の両端部は、内面２１の左右方向の両端部と同一位置に位置させられている。一方、化粧板５の上下方向の幅は、装置本体２の内面２１の上下方向の幅より若干狭くなっている。しかも、化粧板５の下端部は内面２１の下端部より若干下側に位置させられている。したがって、化粧板５は、左右方向には内面２１をその全長にわたって覆うが、上下方向には内面２１の上端部を室内Ｉに露出させ、それより下側の部分だけを覆っている。勿論、化粧板５は、取付孔２２全体を覆っている。
【００２０】
図１及び図２に示すように、化粧板５の図１における左側の部分には、室内Ｉに臨む前面５１から装置本体２の内面２１と対向する背面５２まで貫通する多数の貫通孔５３が形成されている。各貫通孔５３は、左右方向へ並んで配置されている。しかも、全ての貫通孔５３は、通気孔２３の中間壁部２ｃにおける開口部と対向し、かつ取付孔２２の内側に位置するように配置されている。したがって、室内外の空気は、実際には取付孔２２を通ることがなく、通気孔２３及び貫通孔５３を通って流通する。
【００２１】
化粧板５の背面部には、フィルタ６が着脱可能に取り付けられている。フィルタ６は、中間壁部２ｃの室内Ｉ側を向く面に押圧接触させられており、中間壁部２ｃにおける通気孔２３の開口部全体を室内Ｉ側から覆っている。しかも、フィルタ６は、化粧板５の背面５２に押圧接触され、貫通孔５３を室外Ｏ側から覆っている。したがって、通気孔２３と貫通孔５３との間を流れる空気は、フィルタ６を通過する。これにより、外気に含まれる塵埃等が室内Ｉに流入することが防止されている。
【００２２】
図１及び図５に示すように、化粧板５の図１における右側の部分には、その前面５１から背面５２まで貫通する装着孔５４が形成されている。この装着孔５４は、略長方形状をなしており、その長手方向を左右方向に向けて配置されている。しかも、装着孔５４は、操作窓孔２４より大きい寸法を有しており、室内Ｉ側から見たとき、装着孔５４の略中央部に操作窓孔２４が位置するように配置されている。
【００２３】
化粧板５には、化粧枠７が取り付けられている。化粧枠７は、環状をなしており、装着孔５４の内周面及びその近傍に位置する化粧板５の前面５１を覆っている。しかも、化粧枠７は、操作部材４が閉位置と開位置とのいずれに位置している場合であって操作部材４を室内Ｉ側に露出させることができるだけの大きさを有している。したがって、化粧枠７内に指を挿入することによって操作部材４を左右方向へ移動操作することができる。
【００２４】
化粧板５は、図２に示すように、それと装置本体２との間に設けられた第１及び第２係合機構８Ａ，８Ｂによって装置本体２に着脱可能に取り付けられている。すなわち、装置本体２には、上記のように室内側壁部２ａに取付孔２２が形成されることにより、下方に突出する第１係合部８１及び上方に突出する第２係合部８２が形成されている。
【００２５】
一方、化粧板５の背面５２の上端部には、左右方向に延びる断面略Ｌ字状の第１係合片８３が設けられている。この第１係合片８３が設けられることにより、化粧板５の背面５２の上端部には、上方に向かって開放された第１係合凹部８４が形成されている。この第１係合凹部８４には、第１係合部８１が上下方向へ挿脱可能に入り込んでいる。これにより、化粧板５の上端部が、装置本体２に，前後方向へはほぼ移動不能に、下方へは移動可能に、上方へは第１係合片８３の上端部が装置本体２の上壁部に突き当たるか、第１係合部８１の下端部が第１係合凹部８４の底面に突き当たるまで移動可能に係合されている。以下、第１係合部８１が図２に示す位置において第１係合凹部８４と係合しているときの化粧板５の位置（図２に示す位置）を装着位置と称し、第１係合部８１の下端と第１係合凹部８４の上端開放部（第１係合片８３の上端）とが上下方向において同一位置に位置しているときの化粧板５の位置を初期位置と称し、第１係合片８３の上端部が装置本体２の上壁部に突き当たるか、第１係合部８１の下端部が第１係合凹部８４の底面に突き当たったときの化粧板５の位置を上位置と称する。第１係合部８１と第１係合凹部８４とによって第１係合機構８Ａが形成されている。
【００２６】
化粧板５の背面５２の上下方向の中間部には、左右方向に延びる断面Ｌ字状の第２係合片８５が設けられている。第２係合片８５が設けられることにより、化粧板５の背面５２の上下方向における中間部には、下方に向かって開放された第２係合凹部８６が形成されている。この第２係合凹部８６には、第２係合部８２が上下方向へ挿脱可能に入り込んでいる。第２係合部８２の上端部は、第２係合凹部８６の上底面に突き当たっている。この結果、化粧板５の中間部が、装置本体２に、前後方向へはほぼ移動不能に、下方へは移動不能に、上方へは移動可能に取り付けられている。第２係合部８２と第２係合凹部８６とによって第２係合機構８Ｂが構成されている。
【００２７】
第２係合部８２が第２係合凹部８６の底面に突き当たったときの化粧板５の位置が装着位置である。しがたって、化粧板５が装着位置に位置しているときには、第１及び第２係合機構８Ａ，８Ｂがいずれも係合状態になっている。これにより、化粧板５が装置本体２に着脱可能に取り付けられている。
【００２８】
第１及び第２係合機構８Ａ，８Ｂは、次の条件を満たすように構成されている。すなわち、第１係合片８３の上端と第２係合片８５の下端との間の距離は、第１係合部８１の下端と第２係合部８２の上端との間の距離より長い。したがって、化粧板５を初期位置に位置させると、第２係合片８５の少なくとも下端部が、第２係合部８２の上端より下方に位置する。また、化粧板５を上位置に位置させると、第２係合片８５の下端が第２係合部８２の上端より上側に位置する。したがって、化粧板５を上位置に位置させると、第２係合片８５が室内Ｉ側から取付孔２２に挿入可能になる。そして、第２係合片８５を取付孔２２に挿入することにより、第２係合凹部８６を第２係合部８２に対し上下に対向させることができる。第２係合凹部８６の深さは、第１係合凹部８４の深さより浅くなっており、化粧板５を装着位置に位置させると、第２係合部８２の上端部が第２係合凹部８６の上底面に接触する。
【００２９】
このように構成された第１及び第２係合機構８Ａ，８Ｂによって化粧板５を装置本体２に着脱可能に取り付ける場合には、まず化粧板５を初期位置か、それより若干下側に位置させ、第１係合片８３を取付孔２２の上端（第１係合部８１の下端）と同一位置か、それより若干下側に位置させる。そして、第１係合片８３を取付孔２２から装置本体２の内部に挿入し、第１係合凹部８４を第１係合部８１と上下に対向させる。このとき、第２係合片８５の少なくとも下端部が取付孔２２の下端部より下側に位置しているので、化粧板５は、その上端部だけが取付孔２２に挿入され、下端部が室内Ｉに位置するように傾斜させられている。その後、化粧板５を上位置まで平行移動させる。すると、第２係合片８５が取付孔２２の下端（第２係合部８２の上端）より若干上側に位置し、取付孔２２に挿入可能になる。そこで、化粧板５の下端部を室外Ｏ側に向かって移動させ、第２係合片８５を取付孔２２に挿入する。そして、第２係合凹部８６を第２係合部８２と上下に対向させる。その後、化粧板５を装着位置まで下方へ移動させる。すると、第２係合部８２が第２係合凹部８６内に入り込み、第２係合機構８Ｂが係合状態になる。このとき、第１係合部８１が第１係合凹部８４に入り込んだ状態を維持しており、第１係合機構８Ａも係合状態になっている。しかも、第２係合凹部８６の上底面が第２係合部８２の上端部に載置され、それによって化粧板５が装置本体２に支持される。このようにして、化粧板５が装置本体２に着脱可能に取り付けられる。
なお、上記と逆の手順を採用することにより、化粧板５を装置本体２から取り外すことができる。
【００３０】
図１〜図３に示すように、化粧板５の上端部には、遮蔽部材（遮蔽部）９の下端部が接着等の手段によって固着されている。遮蔽部材９は、例えば合成ゴム、軟質塩化ビニル等の弾性を有する樹脂からなるものであり、化粧板５の全長にわたって設けられている。しかも、遮蔽部材９の先端部は、化粧板５の上端から上方に突出している。遮蔽部材９の化粧板５からの突出量は、特に遮蔽部材９が弾性変形していない自然状態での突出量は、図３において想像線で示すように、装着位置に位置しているときの化粧板５の上端から装置本体２の内面の上端縁（上框Ａ３の下面）までの距離より若干長くなっている。したがって、遮蔽部材９の上端部は、遮蔽部材９自体の弾性力によって上框Ａ３の下面に押し付けられている。遮蔽部材９の自然状態での突出量は、その上端部が上框Ａ３の下面に単に接触するよう、装着位置に位置しているときの化粧板５と上框Ａ３との間の距離と同一に設定してもよい。
【００３１】
遮蔽部材９の少なくとも室内Ｉに臨む部分は、化粧板５と同一の色彩が施されている。これにより、美感の向上が図られている。遮蔽部材９の色彩は、必ずしも化粧板５と同一する必要はなく、デザイン的な点から他の色にしてもよい。
【００３２】
上記の構成の換気装置１においては、化粧板５が装置本体２に取り付けられているとき、つまり化粧板５が装着位置に位置しているときには、装置本体２の内面２１の上端部が化粧板５より上側に位置するが、内面２１の当該上端部は遮蔽部材９によって覆われ、室内Ｉから目視されることがない。したがって、室内Ｉの美感を向上させることができる。また、化粧板５を装着位置より上側へ移動させると、遮蔽部材９が上框Ａ３の下面に突き当たるが、図４に示すように、遮蔽部材９が弾性変形するので、化粧板５を無理なく上位置まで移動させることができる。したがって、化粧板５を装置本体２に無理なく取り付けることができる。
【００３３】
また、装置本体２の内面２１が化粧板５及び遮蔽部材９によって覆われているので、内面２１に結露が発生することを防止ないしは軽減することができる。仮に、内面２１に結露が発生したとしても、内面２１が化粧板５及び遮蔽部材９によって覆われているので、結露が室内Ｉから目視されることがない。さらに、遮蔽部材９がその弾性力によって化粧板５を下方へ付勢し、第２係合凹部８６の上底面を第２係合部８２の上端面に押し付けているので、装置本体２がサッシ戸の開閉や地震等によって振動した場合には、化粧板５が装置本体２の振動に追従して移動することになり、化粧板５が装置本体２に対して移動することがない。したがって、装置本体２が振動したとしても第１及び第２係合機構８Ａ，８Ｂが係合状態を維持する。よって、サッシ戸の開閉時や地震の発生時等に化粧板５が装置本体２から脱落するような事故を防止することができる。
【００３４】
次に、この発明の他の実施の形態について説明する。なお、以下の実施の形態については、上記実施の形態と異なる構成部分だけを説明することとし、上記実施の形態と同様な構成部分には同一符号を付してその説明を省略する。
【００３５】
図６は、この発明の第２実施の形態を示す。この実施の形態においては、遮蔽部材９に代えて遮蔽部材９Ａが用いられている。この遮蔽部材９Ａは、連続気泡タイプのスポンジによって構成されている。また、遮蔽部材９Ａは、断面長方形状をなし、その下面が化粧板５の水平な上面に接着等の手段によって固着され、その上面が上框Ａ３の下面に面接触させられている。
【００３６】
図７は、この発明の第３実施の形態を示す。この実施の形態においては、化粧板５の前面５１に取付凹部５５が設けられている。一方、遮蔽部材９の下端部には、取付凹部５５に対応した形状の取付凸部９１が形成されている。この取付凸部９１が取付凹部５５に挿入固定されることにより、遮蔽部材９が化粧板５に取り付けられている。
【００３７】
図８は、この発明の第４実施の形態を示す。この実施の形態においては、化粧板５の背面５２の上端部に高さの低い凸部５６が形成されている。一方、遮蔽部材９の下端部には、装着凹部９２が形成されている。この装着凹部９２に凸部５６を含む化粧板５の上端部が挿入されることにより、遮蔽部材９が化粧板５に取り付けられている。
【００３８】
なお、この発明は、上記の実施の形態に限定されるものでなく、その要旨を逸脱しない範囲において各種の変形例を採用することができる。
例えば、上記の実施の形態は、この発明に係る換気装置１をアルミサッシ戸Ａに設けたものであるが、この発明に係る換気装置は、木製の戸やその他の戸に設けてもよく、あるいは建物の開口部に直接取り付けてもよい。
また、上記の実施の形態においては、遮蔽部たる遮蔽部材９，９Ａが化粧板５と別体に形成されているが、遮蔽部は化粧板５と一体に形成してもよい。
さらに、上記の実施の形態においては、フィルタ６が化粧板５に着脱可能に取り付けられているが、フィルタ６は、装置本体２に着脱可能に取り付けてもよい。例えば、装置本体２の中間壁部２ｃの室内Ｉ側を向く面に両面ファスナを設け、この両面ファスナによってフィルタ６を中間壁部２ｃに着脱可能に取り付けてもよい。その場合にも、化粧板５を装置本体２に取り付けた場合には、フィルタ６が化粧板５の背面５２に押圧接触させることが望ましい。
【産業上の利用可能性】
【００３９】
この発明に係る換気装置は、特に室内の美感を重要視するようなアルミサッシ戸その他の戸、あるいは壁の開口部に取り付けて用いることができる。
【符号の説明】
【００４０】
Ｉ    室内
Ｏ    室外
１    換気装置
２    装置本体
５    化粧板
６    フィルタ
８Ａ    第１係合機構
８Ｂ    第２係合機構
９    遮蔽部材（遮蔽部）
９Ａ    遮蔽部材（遮蔽部）
２１    内面
２２    取付孔（換気孔）
２３    通気孔（換気孔）
【図１】
0005713767.tif 000002
【図２】
0005713767.tif 000003
【図３】
0005713767.tif 000004
【図４】
0005713767.tif 000005
【図５】
0005713767.tif 000006
【図６】
0005713767.tif 000007
【図７】
0005713767.tif 000008
【図８】
0005713767.tif 000009